(57)【要約】      （修正有）【課題】安価で清潔なスリッパ用中敷及び該中敷を着脱自在に固定する機能を備えるスリッパを提供する。【解決手段】スリッパ３００の前方部分と後方部分に、スリッパの中敷Ｚを着脱自在に固定する機能を持たせた。中敷Ｚはスリッパ３００の足裏に接する中敷足載せ部の長手方向両端に突出する中敷前方固定部ａおよび中敷後方固定部ｂを備える。中敷前方固定部ａおよび中敷後方固定部ｂをスリッパ３００の底方向へ折り返した後、スリッパ３００の前方開閉部および後方開閉部に挿入し挟み込む。スリッパ３００の前方開閉部および後方開閉部に装備した嵌合式留め具５，６，７，８により、それぞれの開閉部を閉鎖するのと同時に中敷Ｚを固定する。【選択図】図４
2019126477.tif 000002
【特許請求の範囲】
【請求項１】
スリッパの前方部分と後方部分にスリッパの中敷を着脱自在に固定する機能を持つことを特徴とするスリッパ。
【請求項２】
前記スリッパの前方部分と後方部分に中敷を挟み、更に着脱自在に固定する為の開閉部を備えることを特徴とする請求項１に記載のスリッパ。
【請求項３】
前記スリッパの前方部分と後方部分に中敷を挟み、更に着脱自在に固定する為の嵌合式留め具を装備した開閉部を備えることを特徴とする請求項２に記載のスリッパ。
【請求項４】
請求項１から３のいずれか１項に記載のスリッパに使用するスリッパ用中敷であって、前記スリッパの前方部分と後方部分にて着脱自在に固定可能なことを特徴とするスリッパ用中敷。
【請求項５】
前記スリッパの足載せ部分に接する中敷足載せ部と、当該中敷足載せ部の長手方向両端に突出する中敷前方固定部および中敷後方固定部とを備えることを特徴とする請求項４に記載のスリッパ用中敷。
【請求項６】
前記中敷前方固定部および前記中敷後方固定部を当該スリッパの底方向へ折り返し固定可能であることを特徴とする請求項４または５に記載のスリッパ用中敷。
【発明の詳細な説明】
【技術分野】
【０００１】
本発明は、スリッパの前方部分と後方部分にスリッパの中敷を着脱自在に固定する機能を備えるスリッパ及び該スリッパ用中敷に関する。          
【背景技術】
【０００２】
温浴施設、旅館、ホテル、公共施設等でスリッパを履く際に靴下を履いていれば差ほど気にはならないが、素足で不特定多数の人が履いたスリッパを履くのに抵抗を感じ、特に浴場から出たばかりの湿った足裏がスリッパと直接触れるのは不快と思う人は多い。また、水虫などの感染症の心配も否めない。
【０００３】
温浴施設の浴場や旅館の宴会場等で一度スリッパを脱いでしまうと通常のスリッパには使用者本人が自分の使用しているスリッパを識別するものが無いので使用者が入れ替わってしまう。
【０００４】
本出願人の提案に係わるスリッパの中敷が公知である（特許文献1）そこでは中敷の固定方法としてスリッパと中敷の接地面に粘着テープを使用しいている。
【先行技術文献】
【特許文献】
【０００５】
【特許文献１】実登3056867
【発明の概要】
【発明が解決しようとする課題】
【０００６】
上記によればスリッパと中敷の着脱の際に粘着テープを使用しているが、粘着テープや粘着剤での固定方法は足裏が、べたついた状態あるいは湿った状態で歩行した際に中敷の脱落を引き起こすことがある。また、スリッパの素材によっては中敷きを剥がした後に粘着剤がスリッパの足載せ部分に残り、汚れなどが付着するため、衛生面での問題もある。粘着テープ取付けは製造コストにも反映する。
【０００７】
本発明の目的は安価で清潔なスリッパ用中敷及び該中敷を着脱自在に固定する機能を備えるスリッパを提供することにある。
【課題を解決するための手段】
【０００８】
（１）  スリッパの前方部分と後方部分にスリッパの中敷を着脱自在に固定する機能を持つことを特徴とするスリッパ。
（２）  前記スリッパの前方部分と後方部分に中敷を挟み、更に着脱自在に固定する為の開閉部を備えることを特徴とする（１）に記載のスリッパ。
（３）  前記スリッパの前方部分と後方部分に中敷を挟み、更に着脱自在に固定する為の嵌合式留め具を装備した開閉部を備えることを特徴とする（２）に記載のスリッパ。
（４） （１）から（３）のいずれか１項に記載のスリッパに使用するスリッパ用中敷であって、前記スリッパの前方部分と後方部分にて着脱自在に固定可能なことを特徴とするスリッパ用中敷。
（５）  前記スリッパの足載せ部分に接する中敷足載せ部と、当該中敷足載せ部の長手方向両端に突出する中敷前方固定部および中敷後方固定部とを備えることを特徴とする（４）に記載のスリッパ用中敷。
（６）  前記中敷前方固定部および前記中敷後方固定部を当該スリッパの底方向へ折り返し固定可能であることを特徴とする（４）または（５）に記載のスリッパ用中敷。
【０００９】
スリッパの使用者が大勢集まる場所でも自分が使用中のスリッパが識別出来る様に中敷には多数種類の絵柄、文様、文字等の印刷を施す。
【発明の効果】
【００１０】
スリッパの前方開閉部と後方開閉部が開閉し、中敷前方固定部と中敷後方固定部を挟み、嵌合式留め具で固定を行う構造とし、中敷の着脱自在な固定を可能にしたことによって成型加工が少なくシンプルな形状で安価に製造が可能なスリッパ用中敷を提供することが可能となる。
【００１１】
中敷には多数種類の絵柄、文様、文字等の印刷を施し、各使用者が自分の使用している中敷を識別出来るようにした事によって使用者が入れ替わるのを防止し、使用者の心理面や衛生面で貢献でき、温浴施設、旅館及びホテル等で、利用者の癒を増幅し、満足度を上げることができる。
【図面の簡単な説明】
【００１２】
【図１】本発明に係るスリッパを前方右斜め上から見た図である。
【図２】本発明に係るスリッパと中敷の装着固定前の平面図である。
【図３】本発明に係るスリッパの前方開閉部と後方開閉部が開放した状態の側面図である。
【図４】本発明に係るスリッパの前方開閉部と後方開閉部に中敷きを挿入した状態の側面図である。
【図５】本発明に係るスリッパの前方開閉部と後方開閉部に中敷きを挿入した状態を前方右斜め上から見た図である。
【図６】本発明に係るスリッパの前方開閉部と後方開閉部に中敷きを装着固定した状態の側面図である。
【図７】本発明に係るスリッパの前方開閉部と後方開閉部に中敷きを装着固定した状態の平面図である
【図８】本発明に係る中敷の平面図である。
【図９】本発明に係るスリッパを底方向から見た図である。
【図１０】本発明に係るスリッパを底方向から見た図である。
【図１１】本発明に係るスリッパ前方開閉部の嵌合式留め具をマグネットブロックに置き換えた際の開放時断面図である
【図１２】本発明に係るスリッパ前方開閉部の嵌合式留め具をマグネットブロックに置き換えた際の閉鎖時断面図である
【図１３】本発明に係るスリッパの前方開閉部及び後方開閉部をマグネットブロックに置き換えた際の底方向から見た図である。
【図１４】本発明に係るスリッパの中敷に印刷を施した絵柄の一例を示す図である。
【発明を実施するための形態】
【００１３】
図１は本発明に係るスリッパ３００の全容を示す。前方に前方開閉部下端片１及び前方開閉部上端片２を備え、この部分を前方開閉部１００と言う。後方に後方開閉部下端片３及び後方開閉部上端片４を備え、この部分を後方開閉部２００と言う。前方開閉部１００と後方開閉部２００が図２に示す中敷前方固定部a及び中敷後方固定部bを挟んで固定する。スリッパ３００の材質は布、ビニール、ウレタン、シリコン、プラスチック、金属、チップボール等で構成される。
【００１４】
図２は中敷zをスリッパ３００に固定する前の状態を示す。中敷zは中敷足載せ部cの長手方向前端の中敷前方固定部折り位置dより前方に突出した中敷前方固定部aと、中敷足載せ部cの長手方向後端の中敷後方固定部折り位置eより後方に突出した中敷後方固定部bを備える。
【００１５】
図３及び図４はスリッパ３００が中敷ｚを固定する方法を示す。前方開閉部下端片１と前方開閉部上端片２が開放の状態で中敷前方固定部aを中敷前方固定部折り位置dの位置でスリッパ３００の底方向に折り返し、前方開閉部下端片１と前方開閉部上端片２の間に挿入した後、前方開閉部下端片用嵌合式留め具凹５と前方開閉部上端片用嵌合式留め具凸６とで中敷前方固定部aを挟み込み、固定を行う。同じくして、後方開閉部下端片３と後方開閉部上端片４が開放の状態で中敷後方固定部bを中敷後方固定部折り位置eの位置でスリッパ３００の底方向に折り返し、後方開閉部下端片３と後方開閉部上端片４の間に挿入した後、後方開閉部下端片用嵌合式留め具凹７と後方開閉部上端片用嵌合式留め具凸８とで中敷後方固定部bを挟み込み、固定を行う（前記固定が完了した状態を図６及び図７に示す）。第一底面１１は前方開閉部下端片１及び後方開閉部下端片３と一体となった構造が望ましく、材質は開閉時の屈曲運動に耐え得るウレタンやシリコン等が考えられ、前方開閉部下端片開閉限界９と後方開閉部下端片開閉限界１０の間は第二底面１２と接着ないしは縫製により密着固定している。
【００１６】
図５は前方開閉部下端片１及び前方開閉部上端片２と後方開閉部下端片３及び後方開閉部上端片４が開放し、中敷前方固定部a及び中敷後方固定部bを、それぞれ挿入した状態を示す。
【００１７】
図８は中敷zの形状を平面で示すものである。中敷前方固定部aの長さl及び中敷後方固定ｂの長さmは当該スリッパのサイズにより変動する。これは製造コストを抑える目的とサイズによる付け間違いを考慮した結果であって、中敷zは一種類の成型で統一する必要がある。したがって中敷zの長手方向の長さは当該スリッパ大型に合わせた規格とし、当該スリッパ小型への装着時には、中敷前方固定部aの長さl及び中敷後方固定ｂの長さmは当該スリッパ大型への装着時よりも長くなる。中敷zの材質は紙、不織布及び繊維等であって、水分を吸収する素材が望ましい。
【００１８】
図９はスリッパ３００を底方向から見た図である。前方開閉部上端片寸法f及び後方開閉部上端片寸法hは共に、スリッパ３００の長さが２５０ｍｍ〜２７０ｍｍの時に５０ｍｍ程度が理想である。前方開閉部上端片用嵌合式留め具凸位置gはスリッパ３００の前端から約２０ｍｍ程度、後方開閉部上端片用嵌合式留め具凸位置iはスリッパ３００の後端から約２０ｍｍ程度が当該中敷の固定を安定化する。
【００１９】
図１０は前方開閉部下端片１及び前方開閉部上端片２の前端に前端直線部j及び後方開閉部下端片３及び後方開閉部上端片４の後端に後方直線部kを備えた際の図である。前端直線部jと後端直線部kに幅４０ｍｍ程度の直線を設けることで、図２中敷前方固定部a及び中敷後方固定部bを直線的に折り返し易くなり、緩みのない当該中敷の固定が期待できる。更に前方開閉部下端片用嵌合式留め具凹５及び前方開閉部上端片用嵌合式留め具凸６及び後方開閉部下端片用嵌合式留め具凹７及び後方開閉部上端片用嵌合式留め具凸８の数を、それぞれ2個にすることで、当該中敷使用時の捩れを抑え、更に安定した固定が可能になる。
【００２０】
図１１は図１０に示す前方開閉部下端片用嵌合式留め具凹５及び前方開閉部上端片用嵌合式留め具凸６による嵌合と後方開閉部下端片用嵌合式留め具凹７及び後方開閉部上端片用嵌合式留め具凸８による嵌合の働きをマグネットブロック凸役１３及びマグネットブロック凹役１４及びマグネットブロック取付溝１５に置き換えた際の仕組みを図１に示す前方開閉部１００において説明する。前方開閉部下端片１のマグネットブロック凸役１３は嵌合式留め具の凸の役割を担い、前方開閉部上端片２に備えるマグネットブロック取付溝１５は嵌合式留め具の凹の役割を担う。マグネットブロック取付溝１５は前方開閉部上端片２に６ｍｍ〜７ｍｍ程度の溝を掘り、厚さ３ｍｍのマグネットブロック凹役１４を上方向に押込んだ状態で接着固定を行い、マグネットブロック取付溝１５の深さはマグネットブロック１４凹役を取り付けた状態で、底方向に３ｍｍ〜４ｍｍの深さを有するところへ、マグネットブロック凸役１３を嵌め込み、マグネットブロック凸役１３とマグネットブロック凹役１４の磁力とマグネットブロック取付溝１５の凹の形状に対してのマグネットブロック凸役１３の凸の形状により嵌合を行う。マグネットブロック凸役１３及びマグネットブロック凹役１４の寸法は共にスリッパ３００の長手方向に対して１０ｍｍ程度、幅方向に対して２０ｍｍ程度、厚さ３ｍｍが理想で、磁力の強いネオジューム磁石等を使用する。マグネットブロック取付溝１５の寸法はマグネットブロック凸役１３及びマグネットブロック凹役１４に対して、長さ、幅、ともに１ｍｍ程度大きくする必要がある。これはマグネットブロック取付溝１５にマグネットブロック凸役１３が収まり、嵌合する際に当該中敷の厚さ分を考慮したものである。前方開閉部下端片１と前方開閉部上端片２がマグネットブロック凸役１３及びマグネットブロック凹役１４及びマグネットブロック取付溝１５により当該中敷が挟み込まれ、嵌合された状態を図１２に示す。
【００２１】
図１３はマグネットブロック凸役１３及びマグネットブロック凹役１４及びマグネットブロック取付溝１５の形状を底方向から示したもので、該マグネットブロックの形状は丸型ではなく四角柱型が理想で、使用時において当該中敷の捩じれや横ずれなどの防止に効果を発揮する。
【００２２】
図１４はスリッパの使用者が自分の使用している当該中敷を識別する為の多数種類の絵柄、文様、文字等の一例である。６４種類以上のアソートでの提供が理想と考える。
【００２３】
当該スリッパは前方部分と後方部分に中敷を挟み、更に着脱自在に固定する為の嵌合式留め具を装備しているが、嵌合式に限らず留め具の機能を有していれば、面ファスナーや、板バネで構成することもできる。
【符号の説明】
【００２４】
１ 前方開閉部下端片
２ 前方開閉部上端片
３ 後方開閉部下端片
４ 後方開閉部上端片
５ 前方開閉部下端片用嵌合式留め具凹
６ 前方開閉部上端片用嵌合式留め具凸
７ 後方開閉部下端片用嵌合式留め具凹
８ 後方開閉部上端片用嵌合式留め具凸
９ 前方開閉部下端片開閉限界
１０ 後方開閉部下端片開閉限界
１１ 第一底面
１２ 第二底面
１３ マグネットブロック凸役
１４ マグネットブロック凹役
１５ マグネットブロック取付溝
１００ 前方開閉部
２００ 後方開閉部
３００ スリッパ
a 中敷前方固定部
b 中敷後方固定部
c 中敷足載せ部
d 中敷前方固定部折り位置
e 中敷後方固定部折り位置
f 前方開閉部上端片寸法
g 前方開閉部上端片用嵌合式留め具凸位置
h 後方開閉部上端片寸法
i 後方開閉部上端片用嵌合式留め具凸位置
j 前端直線部
k 後端直線部
l中敷前方固定部aの長さ
m中敷後方固定部bの長さ
z中敷
【図１】
2019126477.tif 000003
【図２】
2019126477.tif 000004
【図３】
2019126477.tif 000005
【図４】
2019126477.tif 000006
【図５】
2019126477.tif 000007
【図６】
2019126477.tif 000008
【図７】
2019126477.tif 000009
【図８】
2019126477.tif 000010
【図９】
2019126477.tif 000011
【図１０】
2019126477.tif 000012
【図１１】
2019126477.tif 000013
【図１２】
2019126477.tif 000014
【図１３】
2019126477.tif 000015
【図１４】
2019126477.tif 000016